(57)【要約】【課題】番組に関連したコンテンツに簡単にアクセス可能にすることを目的とする。【解決手段】テレビジョン放送に関する番組情報に基づいて、コンテンツを検索するキーワードを決定する決定手段と、コンテンツチャンネルへの切り替え指示を受け取った場合、決定手段で決定されたキーワードを用いて記憶装置に記憶されているコンテンツを検索する検索手段と、検索手段での検索の結果に基づいて、コンテンツを読み出して、コンテンツの表示を制御するコンテンツ表示制御手段と、を有することによって課題を解決する。【選択図】図４
2010093391.tif 000002
【特許請求の範囲】
【請求項１】
テレビジョン放送に関する番組情報に基づいて、コンテンツを検索するキーワードを決定する決定手段と、
前記決定手段で決定されたキーワードを用いて記憶装置に記憶されているコンテンツを検索する検索手段と、
前記検索手段での検索の結果に基づいて、コンテンツを読み出して、前記コンテンツの表示を制御するコンテンツ表示制御手段と、
を有することを特徴とする表示制御装置。
【請求項２】
前記決定手段は、テレビジョン放送に関する番組情報と、コンテンツのメタ情報と、に基づいて、コンテンツを検索するキーワードを決定することを特徴とする請求項１に記載の表示制御装置。
【請求項３】
前記決定手段は、テレビジョン放送に関する番組情報に基づいて、コンテンツを検索するキーワードを決定する際、視聴されている番組の番組情報の優先度を高くして、コンテンツを検索するキーワードを決定することを特徴とする請求項１に記載の表示制御装置。
【請求項４】
前記決定手段は、テレビジョン放送に関する番組情報に基づいて、コンテンツを検索するキーワードを決定する際、予め設定されているキーワードの優先度を高くして、コンテンツを検索するキーワードを決定することを特徴とする請求項１に記載の表示制御装置。
【請求項５】
前記決定手段は、テレビジョン放送に関する番組情報と、コンテンツのメタ情報と、に基づいて、コンテンツを検索するキーワードを決定する際、視聴したコンテンツのメタ情報の優先度を低くして、コンテンツを検索するキーワードを決定することを特徴とする請求項２に記載の表示制御装置。
【請求項６】
前記決定手段は、コンテンツを検索するキーワードを決定する際、前記キーワードに関するコンテンツの数に応じて優先度を付け、前記優先度に応じて前記キーワードを決定することを特徴とする請求項１又は２に記載の表示制御装置。
【請求項７】
番組情報と、前記決定手段で決定されたキーワードと、に基づいて番組表に係る画像データを生成する生成手段を更に有することを特徴とする請求項１乃至６の何れか１項に記載の表示制御装置。
【請求項８】
前記生成手段は、コンテンツチャネルの視聴選択に係るエントリ内又は前記エントリの近傍に、前記決定手段で決定されたキーワードが表示されるように前記画像データを生成することを特徴とする請求項７に記載の表示制御装置。
【請求項９】
前記生成手段は、コンテンツチャネルの視聴選択に係るエントリ内又は前記エントリの近傍に、前記検索手段で検索されたコンテンツの個数が表示されるように前記画像データを生成することを特徴とする請求項７に記載の表示制御装置。
【請求項１０】
前記生成手段は、コンテンツチャネルの視聴選択に係るエントリ内又は前記エントリの近傍に、前記検索手段で検索されたコンテンツの属性情報が表示されるように前記画像データを生成することを特徴とする請求項７に記載の表示制御装置。
【請求項１１】
前記生成手段は、テレビジョン放送に関する番組を選択するための放送番組エントリを放送時刻順に第一の方向に配列した放送番組エントリ配列を、同一時間帯に放送される放送番組が前記第一の方向と交差する第二の方向軸上に複数並ぶように配置すると共に、前記検索手段での検索の結果に基づいて、前記検索手段での検索の結果を視聴するためのコンテンツ番組エントリを、前記放送番組エントリと前記第二の方向軸上に並ぶように配置して前記画像データを生成することを特徴とする請求項７に記載の表示制御装置。
【請求項１２】
前記生成手段は、前記コンテンツ番組エントリを、前記決定手段でキーワードを決定する際に用いた番組情報に対応した前記放送番組エントリと前記第二の方向軸上に並ぶように配置して前記画像データを生成することを特徴とする請求項１１に記載の表示制御装置。
【請求項１３】
前記生成手段は、前記コンテンツ番組エントリの開始点を、前記決定手段でキーワードを決定する際に用いた番組情報に対応した前記放送番組エントリのうち、少なくとも一つの放送番組エントリの開始点と前記第二の方向軸上に並ぶように配置して前記画像データを生成することを特徴とする請求項１１に記載の表示制御装置。
【請求項１４】
前記検索手段は、コンテンツチャンネルへの切り替え指示を受け取った場合に、前記決定手段で決定されたキーワードを用いて記憶装置に記憶されているコンテンツを検索することを特徴とする請求項１に記載の表示制御装置。
【請求項１５】
表示制御装置における表示制御方法であって、
テレビジョン放送に関する番組情報に基づいて、コンテンツを検索するキーワードを決定する決定ステップと、
前記決定ステップで決定されたキーワードを用いて記憶装置に記憶されているコンテンツを検索する検索ステップと、
前記検索ステップでの検索の結果に基づいて、コンテンツを読み出して、前記コンテンツの表示を制御するコンテンツ表示制御ステップと、
を有することを特徴とする表示制御方法。
【請求項１６】
前記決定ステップでは、テレビジョン放送に関する番組情報と、コンテンツのメタ情報と、に基づいて、コンテンツを検索するキーワードを決定することを特徴とする請求項１５に記載の表示制御方法。
【請求項１７】
番組情報と、前記決定ステップで決定されたキーワードと、に基づいて番組表に係る画像データを生成する生成ステップを更に有することを特徴とする請求項１５又は１６に記載の表示制御方法。
【請求項１８】
前記生成ステップでは、テレビジョン放送に関する番組を選択するための放送番組エントリを放送時刻順に第一の方向に配列した放送番組エントリ配列を、同一時間帯に放送される放送番組が前記第一の方向と交差する第二の方向軸上に複数並ぶように配置すると共に、前記検索ステップでの検索の結果に基づいて、前記検索ステップでの検索の結果を視聴するためのコンテンツ番組エントリを、前記放送番組エントリと前記第二の方向軸上に並ぶように配置して前記画像データを生成することを特徴とする請求項１７に記載の表示制御方法。
【請求項１９】
コンピュータを、
テレビジョン放送に関する番組情報に基づいて、コンテンツを検索するキーワードを決定する決定手段と、
前記決定手段で決定されたキーワードを用いて記憶装置に記憶されているコンテンツを検索する検索手段と、
前記検索手段での検索の結果に基づいて、コンテンツを読み出して、前記コンテンツの表示を制御するコンテンツ表示制御手段と、
して機能させることを特徴とするプログラム。
【請求項２０】
請求項１９に記載のプログラムを記憶したコンピュータにより読み取り可能な記憶媒体。
【発明の詳細な説明】
【技術分野】
【０００１】
本発明は、表示制御装置及び表示制御方法に関する。
【背景技術】
【０００２】
近年、テレビジョン放送番組を選択する際にテレビ画面上に表示した電子番組表（ＥＰＧ）を用いることが一般的である。
更に、ＨＤＤ内蔵ＤＶＤレコーダに代表されるデジタル録画機器に個人コンテンツを保存して、テレビ画面上で閲覧することが行われるようになった。
しかしながら、デジタル録画機器等に保存された個人コンテンツを閲覧するには、テレビジョン放送を閲覧する場合と比較して、操作感の統一がなされていないだけでなく、複雑な操作を強いられている。
【０００３】
このことを改善するために特許文献１においては、インターネット上に存在するコンテンツにアクセスするためのエントリをＥＰＧ上に表示する提案がなされている。
【０００４】
しかしながら、特許文献１に記載の方法では無作為に取得したコンテンツ情報をＥＰＧ上に表示するために、ユーザーが必要としないコンテンツ情報も表示してしまう。
これを抑制するために認証情報データベースとの情報を基に認証を行い、確認が取れたコンテンツのみをＥＰＧ上に表示する方法がある。
しかしながら、この方法では見たいコンテンツが増えるたびに認証情報ＤＢに登録する必要があり、また、決められた確認済みのコンテンツだけがＥＰＧ上に表示されるために、ユーザーの意図を細かに反映したコンテンツ検索が行えない等の課題が存在していた。
特許文献２においては、番組情報を表示して、表示した番組情報からユーザーがキーワードを選択すると、このキーワードを用いた検索要求を発行してコンテンツ検索を行うためのエントリをＥＰＧ上に表示する提案がなされている。
【０００５】
【特許文献１】特開２００６−１９１２５４号公報
【特許文献２】特開２００５−３１８６１６号公報
【発明の開示】
【発明が解決しようとする課題】
【０００６】
しかしながら、特許文献２に記載の方法ではコンテンツの検索を行うためにはまず、ユーザーが番組情報からキーワードを選択し、エントリの生成を行う必要があるばかりでなく、ＥＰＧ上に表示する効果が存在しなかった。
また、この方法ではＥＰＧを用いずに一般的なテレビジョン放送受像機のリモートコントローラにあるチャンネルボタン等のチャンネル変更指示だけでは、番組に関連したコンテンツを視聴することが不可能であった。
【０００７】
本発明はこのような問題点に鑑みなされたもので、番組に関連したコンテンツに簡単にアクセス可能にすることを目的とする。
【課題を解決するための手段】
【０００８】
そこで、本発明は、テレビジョン放送に関する番組情報に基づいて、コンテンツを検索するキーワードを決定する決定手段と、前記決定手段で決定されたキーワードを用いて記憶装置に記憶されているコンテンツを検索する検索手段と、前記検索手段での検索の結果に基づいて、コンテンツを読み出して、前記コンテンツの表示を制御するコンテンツ表示制御手段と、を有することを特徴とする。
【０００９】
係る構成とすることにより、番組に関連したコンテンツに簡単にアクセス可能にすることができる。
【００１０】
また、本発明は、表示制御方法、プログラム及び記憶媒体としてもよい。
【発明の効果】
【００１１】
本発明によれば、番組に関連したコンテンツに簡単にアクセス可能にすることができる。
【発明を実施するための最良の形態】
【００１２】
以下、本発明の実施形態について図面に基づいて説明する。
【００１３】
＜第１の実施形態＞
図１は、コンテンツ表示システムのシステム構成の一例を示す図である。
１は、コンテンツ表示装置である。２は、コンテンツ表示装置１から出力された表示画像を表示するテレビモニタに代表される表示装置である。３は、コンテンツ表示装置１を操作するためのリモートコントローラに代表される操作入力装置である。
【００１４】
図２は、第１の実施形態におけるコンテンツ表示装置１の構成の一例を示す図である。
１０１は、テレビジョン放送及びテレビジョン放送番組情報を受信するテレビジョン放送受信部である。１０２は、テレビジョン放送受信部１０１で受信した信号を番組映像信号と番組情報信号に分離して、番組映像信号を復号化するテレビジョンチューナである。
１０３は、テレビジョンチューナで分離された番組情報を抽出するテレビジョン放送番組情報取得部である。
本実施形態においては説明のために、テレビジョン放送受信部１０１及びテレビジョンチューナ１０２をコンテンツ表示装置１内に示した。しかしながら、コンテンツ表示装置１は、通信インターフェイスを介して外部装置から既に分離された番組映像信号及び番組情報信号を受信するようにしてもよい。
更に言えば、コンテンツ表示装置１は、番組映像信号として復号化される前の信号を外部装置から受信し復号化しても、既に復号化された番組映像信号を受信してもよい。
【００１５】
１１１は、コンテンツ及び前記コンテンツに係るメタ情報等のコンテンツ情報を記憶した格納部である。１１２は、格納部１１１からコンテンツ及びコンテンツ情報を取得するコンテンツ情報取得部である。
本実施形態においては説明のために、格納部１１１をコンテンツ表示装置内に示したが、コンテンツ情報取得部１１２は、通信インターフェイスを介して外部装置のハードディスク等からコンテンツ情報を取得してもよい。
１２１は、テレビジョン放送番組情報取得部１０３で取得した番組情報からコンテンツを検索するためのキーワードを抽出するキーワード抽出部である。
１１３は、キーワード抽出部１２１で抽出されたキーワードを基にコンテンツ情報取得部１１２を介して、コンテンツを検索してコンテンツ情報を読み出すコンテンツ検索部である。
【００１６】
１１４は、読み出したコンテンツサムネイルの一覧表示や、コンテンツの再生やスライドショー表示を行うコンテンツ表示制御部である。
１３１は、番組映像とコンテンツ表示制御部で生成されたコンテンツ映像（コンテンツに係る画像データ）の表示を切り替える表示切替部である。表示切替部１３１は、単なる表示のスイッチングだけでなく、複数画面表示やピクチャ・イン・ピクチャ表示、オンスクリーン表示等の表示を行ってもよい。
１３２は、表示切替部１３１から出力された映像信号を一時的に蓄積するフレームバッファである。１３３は、フレームバッファ１３２から読み出した映像信号を表示装置に出力するための表示出力部である。なお、フレームバッファの有無は本実施形態において限定されるものではない。
１４１は、ユーザーからのチャンネル操作指示を取得する操作取得部であり、有線及び無線やその方式は問わないが、便宜上、一般的なテレビジョン受像機で用いられている赤外光リモートコントローラの受光部として説明を行う。
１４２は、操作取得部で取得した信号を解析する操作解析部である。
【００１７】
図３は、コンテンツ表示装置１のハードウェア構成の一例を示す図である。
図３において、ＣＰＵ（Ｃｅｎｔｒａｌ  Ｐｒｏｃｅｓｓｉｎｇ  Ｕｎｉｔ）２０１は、ＲＯＭ（Ｒｅａｄ  Ｏｎｌｙ  Ｍｅｍｏｒｙ）２０２、ＨＤＤ（Ｈａｒｄ  Ｄｉｓｋ  Ｄｒｉｖｅ）２０３に格納された制御プログラムを実行し、各デバイスを制御する。
ＲＯＭ２０２は、各種の制御プログラムやデータを保持する。
ＲＡＭ２０４（Ｒａｎｄｏｍ  Ａｃｃｅｓｓ  Ｍｅｍｏｒｙ）は、ＣＰＵ２０１のワーク領域、エラー処理時のデータの退避領域、制御プログラムのロード領域等を有する。
ＨＤＤ２０３は、各種制御プログラムや各種データを保存する。インターフェイス（ＩＦ）２０５は、他の情報装置等と通信路を介して通信を行うことができる。
【００１８】
ＣＰＵバス２０６は、アドレスバス、データバス及びコントロールバスを含む。
制御プログラムは、ＲＯＭ２０２、ＨＤＤ２０３に予め記憶されていてもよいし、通信路を介して他の情報装置等からＲＯＭ２０２、ＨＤＤ２０３に記憶されてもよい。
ＣＰＵ２０１が、ＲＯＭ２０２又はＨＤＤ２０３等に記憶されているプログラムに基づき、処理を実行することにより、図２に示したコンテンツ表示装置１の機能の一部、又は後述するフローチャートに係る処理が実現される。ここで、コンテンツ表示装置１の機能の一部とは、例えば、テレビジョン番組情報取得部１０３、コンテンツ情報取得部１１２、コンテンツ検索部１１３、コンテンツ表示制御部１１４、キーワード抽出部１２１、表示切替部１３１、表示出力部１３３、操作解析部１４２等である。
【００１９】
図４は、第１の実施形態におけるコンテンツ表示処理の一例を示すフローチャートである。
まず、ユーザーが、コンテンツ表示装置の電源を投入する（Ｓ２０１）。
すると、初期化処理が終了次第、表示切替部１３１は、前回の電源切断時に視聴していたチャンネルの映像を出力する（Ｓ２０２）。
ここで、表示される映像は既定のチャンネル映像でも構わず、更には、映像表示を行うか否かは限定されるものではない。
続いて、キーワード抽出部１２１は、コンテンツ検索に用いるキーワードの抽出を行う（Ｓ２０３）。
【００２０】
ここで、キーワード抽出部１２１は、番組情報から生成したキーワード一覧と、コンテンツのメタ情報（コンテンツメタ情報）から生成した検索可能キーワード一覧の両方に存在するキーワードの中から、優先度に基づいて、抽出するキーワードを決定する。
なお、キーワード抽出部１２１は、キーワード決定の優先度を、あるキーワードに関連したコンテンツの個数の多い順に優先度を高くする。このことで、ユーザーの興味や意図を反映することができる。
また、キーワード抽出部１２１は、予め設定したキーワードを利用する、又は視聴している番組に係るキーワードの優先度を上げる（高くする）、又は視聴したコンテンツに係るキーワードの優先度を下げる（低くする）等を行うようにしてもよい。このようにすることにより、よりユーザーの視聴行動を反映することができる。
ここで、キーワード抽出部１２１は、コンテンツメタ情報から検索可能キーワード一覧を生成せずに、番組情報（番組情報に存在するメタ情報の全て）を利用してコンテンツを検索して、該当するコンテンツが最も多い等の基準でキーワードを抽出してもよい。
また、キーワード抽出部１２１は、これらの方法を複合してキーワードを抽出してもよく、また、複数のキーワードを抽出してもよい。
何れにしても、キーワード抽出部１２１が番組情報からコンテンツに適したキーワードを抽出することで、ユーザーは、番組に関連したコンテンツを簡単に視聴することができる。コンテンツを視聴するまでの手順の詳細は以降に述べる。
本実施形態では特に、キーワード抽出部１２１が現在視聴している番組情報を優先してキーワード抽出を行う例を示す。
【００２１】
ここで、図５は、放送されている番組の一例を示す図である。図５では、ユーザーが第３チャンネルを視聴している場合、キーワード抽出部１２１が番組情報からパーティーを抽出している例を示している。
即ちパーティーに関連したコンテンツがコンテンツチャンネルで視聴可能となる。より具体的に説明すると、ユーザーが参加したクリスマスや誕生日等のパーティーで撮影された静止画像や動画像がコンテンツチャンネルで視聴可能となる。
コンテンツにはデジタルスチルカメラやデジタルビデオカムコーダ等で撮影された個人コンテンツや、録画されたテレビジョン放送番組等のプレミアムコンテンツ等を含む。
【００２２】
再び図４の説明に戻り、キーワード抽出部１２１におけるキーワード抽出を完了すると、コンテンツ表示装置１（操作取得部１４１）は、ユーザーからの操作入力が行われるのを待つ（Ｓ２０４）。
ここで、Ｓ２０１に示した電源投入以降であれば、Ｓ２０２に示した映像出力及びＳ２０３に示したキーワード抽出の途中でも、コンテンツ表示装置１は操作入力を受け付けてもよい。
ユーザーからの操作入力が行われると、操作解析部１４２は、電源の切断指示か否かを確認し（Ｓ２０６）、切断指示の場合は、終了処理を行い、電源を切断して、図４に示す処理を終了する。
【００２３】
操作指示が終了処理でない場合、操作解析部１４２は、チャンネル切り替え指示か否かを確認する。チャンネル切り替え指示の場合、表示切替部１３１は、指定されたチャンネルを確認する（Ｓ２１２）。
ここで、チャンネル切り替えは、例えば、リモートコントローラに代表される操作指示装置により、チャンネルに割り当てられたボタンを押下することでコンテンツ表示装置１に操作指示される。
押下されたリモートコントローラのボタンが放送チャンネルの場合、指定された放送チャンネルの映像を表示するためにテレビジョンチューナ１０２及び表示切替部１３１に変更指示が操作解析部１４２から送られる。そして、表示出力部１３３は、指定された放送チャンネルを表示する（Ｓ２３１）。
【００２４】
表示する放送チャンネルを変更した後、視聴選択された番組に係るコンテンツを検索するため、キーワード抽出部１２１は、再度、キーワードの抽出を行う（Ｓ２０３）。そして、コンテンツ表示装置１（操作取得部１４１）は、次の操作入力を待つ（Ｓ２０４）。
押下されたリモートコントローラのボタンがコンテンツチャンネルの場合、表示切替部１３１は、指定されたコンテンツチャンネルに表示を切り替える（Ｓ２１３）。そして、コンテンツ検索部１１３は、抽出されているキーワードを用いてコンテンツ検索を行う（Ｓ２１４）。
ここでＳ２１３の表示切替とＳ２１４のコンテンツ検索とは何れかを先に、又は同時に処理を行ってもよい。
【００２５】
コンテンツ表示制御部１１４は、コンテンツ検索部１１３での検索の結果（検索結果）に従い、コンテンツを格納部１１１より読み出して、コンテンツのスライドショー等を生成して実行する等、表示制御を行う（Ｓ２１５）。
なお、図２では、コンテンツの読み出しについて、コンテンツ検索部１１３及びコンテンツ情報取得部１１２を介して行っているように示しているが、コンテンツ表示制御部１１４がコンテンツ情報取得部１１２だけを介してコンテンツの読み出しを行ってもよい。
更には、コンテンツ検索部１１３の検索結果にコンテンツの格納場所を一意に指定する情報を含め、この格納場所情報を利用してコンテンツ表示制御部１１４が直接、格納部１１からコンテンツの読み出しを行ってもよい。
【００２６】
コンテンツチャンネルが表示されると、コンテンツ表示装置１（操作取得部１４１）は、次の操作入力を待つ（Ｓ２０４）。
押下されたリモートコントローラのボタンがチャンネルの切り替え指示でない場合、例えば、音量や輝度の調節等の場合、コンテンツ表示装置１は、指定された処理を行って（Ｓ２２１）、次の操作入力を待つ（Ｓ２０３）。
【００２７】
本実施の形態では操作入力の指示内容の確認を順次行う例を示したが、コンテンツ表示装置１は、例えば、ルックアップテーブルを用いた切り替え処理でもよい。
以上のように、本実施の形態によれば、コンテンツ表示装置１は、テレビジョン放送の番組情報を基にしてコンテンツを集め、このコンテンツを視聴するための表示切り替えをリモートコントローラからの操作入力に基づいて行う。このことにより、ユーザーは、テレビジョン放送番組に関連したコンテンツに簡単にアクセスすることができる。
【００２８】
＜第２の実施形態＞
本実施形態では、第１の実施形態に準ずる個所については、説明を省略する。
図６は、第２の実施形態におけるコンテンツ表示装置１の構成の一例を示す図である。
１２２は、番組情報と、抽出されたキーワードと、を用いて番組表画面の画像データを生成する番組表画像制御部である。
操作取得部１４１にて番組表表示指示を受信すると、番組表画像制御部１２２で生成された番組表画像が表示切替部１３１及び表示出力部１３３を介して表示装置に出力される。
ユーザーは表示された番組表から番組の内容を確認し、任意の番組を選択してチャンネルの切り替えを行うことができる。
表示切替部１３１は、番組映像とコンテンツ映像との場合と同様に、単なる表示のスイッチングだけでなく、複数画面表示やピクチャ・イン・ピクチャ表示、オンスクリーン表示等の表示を行ってもよい。
【００２９】
図７は、第２の実施形態におけるコンテンツ表示処理の一例を示すフローチャートである。
まず、ユーザーが、コンテンツ表示装置の電源を投入する（Ｓ２０１）。
すると、初期化処理が終了次第、表示切替部１３１は、前回の電源切断時に視聴していたチャンネルの映像を出力する（Ｓ２０２）。
続いて、キーワード抽出部１２１は、コンテンツ検索に用いるキーワードの抽出を行う（Ｓ２０３）。
キーワード抽出部１２１におけるキーワード抽出を完了すると、コンテンツ表示装置１（操作取得部１４１）は、ユーザーからの操作入力が行われるのを待つ（Ｓ２０４）。
【００３０】
ユーザーからの操作入力が行われると、操作解析部１４２は、番組表に関する操作指示（番組表操作指示）か否かを確認し（Ｓ２０５）、番組表操作指示でない場合、更に、電源の切断指示か否かを確認する（Ｓ２０６）。切断指示の場合、例えば、操作解析部１４２は、終了処理を行い、電源を切断して図７に示す処理を終了する。
番組表操作指示でも電源切断指示でもない場合は、第１の実施形態と同様であるため説明を省略する。
【００３１】
番組表操作指示の場合、番組表が表示中であるか否かを確認し（Ｓ２４１）、表示していない場合、番組表表示指示か否かを確認する（Ｓ２５１）。
番組表表示指示の場合、操作解析部１４２から表示切替部１３１に表示切り替え指示が送られ、表示切替部１３１は、番組表画像制御部１２２で生成された番組表画像を表示する（Ｓ２５２）。そして、コンテンツ表示装置１（操作取得部１４１）は、次の操作入力を待つ（Ｓ２０４）。
なお、番組表画像制御部１２２における番組表画像の生成のタイミングについては番組表表示指示を受信してからでも、事前に生成していてもよい。
【００３２】
また、番組表を表示しておらず番組表操作指示でない場合、コンテンツ表示装置１（操作取得部１４１）は、何もせずに次の操作入力を待つ（Ｓ２０４）。
番組表を表示している状態で番組表終了指示が入力された場合（Ｓ２４２）、表示切替部１３１は、番組表の表示を終了して、番組表を表示する前に視聴されていたチャンネルの表示を行う（Ｓ２４３）。そして、コンテンツ表示装置１（操作取得部１４１）は、次の操作入力を待つ（Ｓ２０４）。
番組表を表示している状態で番組選択のためのフォーカスを変更する指示が入力された場合（Ｓ２６１）、例えば表示切替部１３１は、フォーカスの位置を変更する（Ｓ２６２）。そして、コンテンツ表示装置１（操作取得部１４１）は、次の操作入力を待つ（Ｓ２０４）。
【００３３】
番組表を表示している状態で選択されている番組の視聴決定指示が入力された場合（Ｓ２７１）、例えば表示切替部１３１は、視聴決定された番組が番組表表示前に視聴されていたチャンネルと同一か否かを判断する（Ｓ２７２）。
同一チャンネルであった場合、例えば表示切替部１３１は、番組表表示を終了して、番組表を表示する前に視聴されていたチャンネルの表示を行う（Ｓ２４３）。そして、コンテンツ表示装置１（操作取得部１４１）は、次の操作入力を待つ（Ｓ２０４）。
【００３４】
また、異なるチャンネルであった場合、表示切替部１３１は、番組表表示を終了して（Ｓ２７３）、コンテンツチャンネルか否かを確認する（Ｓ２１２）。その後の処理については第１の実施形態と同様であるために説明を割愛する。
番組表を表示している状態で番組表操作に係るその他の操作指示が入力された場合、例えば表示切替部１３１は、番組表の設定項目の変更等については、予め指定された処理を行う（Ｓ２８１）。そして、コンテンツ表示装置１（操作取得部１４１）は、次の操作入力を待つ（Ｓ２０４）。
【００３５】
図８は、第２の実施形態における表示装置２に表示される番組表の一例を示す図である。
図８に示されるように、番組表画像制御部１２２は、番組表画像データを生成する際に、キーワード抽出部１２１で抽出されたキーワードをコンテンツチャンネルの番組情報としてコンテンツチャネルの視聴選択に係るエントリ内又は前記エントリの近傍に表示する。ここで、エントリの近傍とは、例えばエントリから所定距離内のことである。
更に、番組表画像制御部１２２は、付加情報として、代表的なコンテンツのサムネイルやコンテンツ数（コンテンツの個数）及びコンテンツの属性情報（例えば動画像コンテンツの視聴時間等）をコンテンツチャンネルの番組情報として表示する。
また、番組表画像制御部１２２は、表示した番組情報のうち、キーワード抽出部１２１で抽出されたキーワードを、例えば、色を変えたり、他の情報より大きく表示したり、字体を変えたりすることで外観上区別可能な状態で表示する。
【００３６】
以上のように、本実施の形態によれば、コンテンツ表示装置１は、テレビジョン放送の番組情報を基にしてコンテンツを集め、このコンテンツを視聴するための表示切り替えをリモートコントローラからの操作入力に基づいて行う。このことにより、ユーザーは、テレビジョン放送番組に関連したコンテンツに簡単にアクセスすることができる。
更には、コンテンツ表示装置１は、番組表にテレビジョン放送チャンネルとコンテンツチャンネルとを統合して表示する。このことにより、ユーザーは、より容易に（直感的に）テレビジョン放送番組に関連したコンテンツに簡単にアクセスすることができる。
【００３７】
＜第３の実施形態＞
本実施形態では、第１及び第２の実施形態に準ずる個所については、説明を省略する。
図９は、第３の実施形態における表示装置２に表示される番組表の一例を示す図である。
第２の実施形態では、番組表画像制御部１２２は、ある時刻で放送されている放送番組と、前記放送番組に係るキーワードと、を抽出してコンテンツチャンネルの表示内容を決定し、番組表に統合表示している。
それに対して本実施形態では、番組表画像制御部１２２は、放送番組を選択するための放送番組エントリと、コンテンツの視聴を選択するためのコンテンツ番組エントリと、を番組表に二次元的に配置している。
更に、本実施形態の番組表画像制御部１２２は、同一時間帯に放送される放送番組の中から抽出されたキーワードに関連したコンテンツへのエントリを、キーワードを抽出した放送番組と少なくとも一部が同一時間帯になるように配置している。
【００３８】
より具体的に説明すると、番組表画像制御部１２２は、放送番組エントリを放送時刻順に第一の方向に配列した放送番組エントリ配列を、同一時間帯に放送される放送番組が第一の方向と交差する第二の方向軸上に複数並ぶように配置する。それと共に、番組表画像制御部１２２は、コンテンツ検索部１１３での検索結果に基づいて、検索結果を視聴するためのコンテンツ番組エントリを放送番組エントリと第二の方向軸上に並ぶように配置して番組表に係る画像データを生成する。
また、番組表画像制御部１２２は、例えば、コンテンツ番組エントリを、キーワード抽出部１２１がキーワードを抽出する際（決定する際）に用いた番組情報に対応する放送番組エントリと第二の方向軸上に並ぶように配置して番組表に係る画像データを生成する。
また、番組表画像制御部１２２は、例えば、コンテンツ番組エントリの開始点を、キーワード抽出部１２１がキーワードを抽出する際（決定する際）に用いた番組情報に対応する放送番組エントリのうち、少なくとも一つの放送番組エントリの開始点と第二の方向軸上に並ぶように配置して、番組表に係る画像データを生成する。
特に、本実施形態においては、番組表画像制御部１２２が、放送番組の放送開始時刻と、コンテンツへのエントリの表示開始位置と、が重なるように表示している例を示している。
【００３９】
以上のように、本実施の形態によれば、コンテンツ表示装置１は、放送された番組やこれから放送される番組に関連したコンテンツ番組エントリを視聴放送番組の近傍に配置する。このことで、ユーザーは放送番組からこれに関連したコンテンツの選択を簡単に行うことができる。更に、本実施の形態によれば、ユーザーは、視聴する放送番組の放送時刻に縛られることなく、好きな時間に任意のコンテンツ番組エントリを選択できる。
【００４０】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００４１】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００４２】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００４３】
本発明を前記記憶媒体に適用する場合、その記憶媒体（コンピュータ読み取り可能な記憶媒体）には、先に説明したフローチャートに対応するプログラムコードが格納されることになる。
【００４４】
以上、上述した各実施形態によれば、番組に関連したコンテンツに簡単にアクセス可能にすることができる。
【００４５】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００４６】
【図１】コンテンツ表示システムのシステム構成の一例を示す図である。
【図２】第１の実施形態におけるコンテンツ表示装置１の構成の一例を示す図である。
【図３】コンテンツ表示装置１のハードウェア構成の一例を示す図である。
【図４】第１の実施形態におけるコンテンツ表示処理の一例を示すフローチャートである。
【図５】放送されている番組の一例を示す図である。
【図６】第２の実施形態におけるコンテンツ表示装置１の構成の一例を示す図である。
【図７】第２の実施形態におけるコンテンツ表示処理の一例を示すフローチャートである。
【図８】第２の実施形態における表示装置２に表示される番組表の一例を示す図である。
【図９】第３の実施形態における表示装置２に表示される番組表の一例を示す図である。
【符号の説明】
【００４７】
１    コンテンツ表示装置
２    表示装置
３    操作入力装置
【図１】
2010093391.tif 000003
【図２】
2010093391.tif 000004
【図３】
2010093391.tif 000005
【図４】
2010093391.tif 000006
【図５】
2010093391.tif 000007
【図６】
2010093391.tif 000008
【図７】
2010093391.tif 000009
【図８】
2010093391.tif 000010
【図９】
2010093391.tif 000011